(57)【要約】【課題】眩しさを抑制しながら、室内の天井の窓側と奥側に日射を導くことが可能なルーバー装置を提供する。【解決手段】日光を建物内部の天井に向けて反射する複数の反射フィンと、前記反射フィンよりも上側に配置され、日光を遮蔽する複数の遮光フィンと、前記反射フィン及び前記遮光フィンを上下方向に回動させる回動手段と、を有するルーバー装置であって、前記遮光フィンは、回動可能に軸支されると共に断面視略く字状に形成され、前記反射フィンは、回動部と固定部との２部材を含んで構成され、前記回動部は上面と前面とを有し、前記固定部の上面は、建物側に向かうほど上方に位置するように傾斜しており、前記回動手段は、複数の前記遮光フィンを同位相で上下方向に回動させると共に、複数の前記回動部を前記遮光フィンに同期して上下方向に回動させる。【選択図】図１
2013199829.tif 000002
【特許請求の範囲】
【請求項１】
建物の窓部の外側に長手方向を横方向にして互いに上下に間隔を空けて並列配置され、照射された日光を建物内部の天井に向けて反射する複数の反射フィンと、
前記反射フィンよりも下側で、前記建物の前記窓部の外側に長手方向を横方向にして互いに上下に間隔を空けて並列配置され、照射された日光を遮蔽する複数の遮光フィンと、
前記複数の反射フィン及び前記複数の遮光フィンを上下方向に回動させる回動手段と、を有するルーバー装置であって、
前記遮光フィンは、横方向の回動軸回りに回動可能に軸支されると共に、前記建物側が凹面となり前記建物と反対側が凸面となる断面視略く字状に形成され、
前記反射フィンは、横方向の回動軸回りに回動可能な回動部と、前記回動部よりも建物側に配置された固定部と、の２部材を含んで構成され、
前記回動部は、前記固定部側の端部から前記建物と反対方向に延設された上面と、前記上面の前記建物と反対側の端部から下方且つ建物側に延設された前面と、を有し、
前記固定部の上面は、前記回動部側の端部から建物側に向かうほど上方に位置するように傾斜しており、
前記回動手段は、複数の前記遮光フィンを同位相で上下方向に回動させると共に、複数の前記回動部を前記遮光フィンと同期して上下方向に回動させることを特徴とするルーバー装置。
【請求項２】
前記回動手段は、複数の前記回動部を前記遮光フィンの略１／２の回動角度で上下方向に回動させることを特徴とする請求項１に記載のルーバー装置。
【請求項３】
前記回動部の上面は、凹状に湾曲していることを特徴とする請求項１又は請求項２に記載のルーバー装置。
【請求項４】
前記遮光フィンは、前記凸面の前半部に太陽光発電素子を有し、
前記回動手段は、日光の照射角度に対して前記凸面の前半部が直交するように、前記遮光フィンを回動させることを特徴とする請求項１から請求項２のいずれか１項に記載のルーバー装置。
【発明の詳細な説明】
【技術分野】
【０００１】
本発明は、建物の窓部から入射する日光の向きや量を調節するルーバー装置に関する。
【背景技術】
【０００２】
従来から、建物の窓部の屋外側にルーバー装置を設け、窓部からの日射量を調節したり、外部からの視線を遮ることが行われている。
【０００３】
例えば、特許文献１には、開口部に取り付けられ日射ないし視線を遮断自在なルーバー装置であって、前記開口部内に並列に配置された複数のアングル部材を有し、前記複数のアングル部材は、長手方向を中心軸としてそれぞれ回動して該開口部の開口率を可変すること、前記複数のアングル部材は、前記長手方向と直交する方向に移動して繰出及び積層自在であること、前記複数のアングル部材は、日射を遮断自在な一面と、前記一面が日射を遮る際に同時に視線を遮断自在な他面と、をそれぞれ備えること、を特徴とするルーバー装置が開示されている。
【先行技術文献】
【特許文献】
【０００４】
【特許文献１】特開２０１０−１６８８５４号公報（請求項１）
【発明の概要】
【発明が解決しようとする課題】
【０００５】
しかし、特許文献１に記載のルーバー装置では、例えば日射を遮ることで眩しさを防いだり、夏場に室内温度の上昇を抑制して空調設備の電力使用量を抑制することができるが、一方で室内が暗くなるため、照明設備の電力使用量が増大し、省エネ効果が減少してしまう。
【０００６】
本発明は、これらの問題に鑑みて成されたものであり、眩しさを抑制しながら、室内の天井の窓側と奥側に日射を導くことが可能なルーバー装置を提供することを課題とする。
【課題を解決するための手段】
【０００７】
本発明は、建物の窓部の外側に長手方向を横方向にして互いに上下に間隔を空けて並列配置され、照射された日光を建物内部の天井に向けて反射する複数の反射フィンと、前記反射フィンよりも下側で、前記建物の前記窓部の外側に長手方向を横方向にして互いに上下に間隔を空けて並列配置され、照射された日光を遮蔽する複数の遮光フィンと、前記複数の反射フィン及び前記複数の遮光フィンを上下方向に回動させる回動手段と、を有するルーバー装置であって、前記遮光フィンは、横方向の回動軸回りに回動可能に軸支されると共に、前記建物側が凹面となり前記建物と反対側が凸面となる断面視略く字状に形成され、前記反射フィンは、横方向の回動軸回りに回動可能な回動部と、前記回動部よりも建物側に配置された固定部と、の２部材を含んで構成され、前記回動部は、前記固定部側の端部から前記建物と反対方向に延設された上面と、前記上面の前記建物と反対側の端部から下方且つ建物側に延設された前面と、を有し、前記固定部の上面は、前記回動部側の端部から建物側に向かうほど上方に位置するように傾斜しており、前記回動手段は、複数の前記遮光フィンを同位相で上下方向に回動させると共に、複数の前記回動部を前記遮光フィンに同期して上下方向に回動させることを特徴とする。
【０００８】
このような構成によれば、前記回動部は、前記固定部側の端部から前記建物と反対方向に延設された上面を有しているので、日光の照射方向に応じて回動部を回動させることで、回動部の上面に照射した日光を天井に向けて反射することができる。また、回動部は、前記上面の前記建物と反対側の端部から下方且つ建物側に延設された前面を有しているので、仮に前面が上面に対して直角に設けられている場合に比較して、回動部の上面にあたる日光の量を多くすることができる。また、複数の反射フィンは、互いに上下に間隔を空けて並列配置されており、かつ、前記回動手段は、複数の前記回動部を同位相で上下方向に回動させるので、複数の反射フィンのうち比較的上側に配置された反射フィンの回動部の上面に反射した日光は、天井のうち窓部に近い部位を照らし、複数の反射フィンのうち比較的下側に配置された反射フィンの回動部の上面に反射した日光は、天井のうち比較的窓から離れた部位を照らす。これにより、天井が全体的に明るくなり、照明の使用量を抑制することができる。
【０００９】
さらに、回動部は、前記上面の前記建物と反対側の端部から下方且つ建物側に延設された前面を有し、前記固定部の上面は、前記回動部側の端部から建物側に向かうほど上方に位置するように傾斜しているので、上下に配置された反射フィン同士の間隔（上側の回動部の前面の下端と下側の固定部の上端との上下方向の間隔）が小さくなる。そのため、水平方向に対して浅い角度で日光が照射する場合（例えば日が低いとき）に、回動部の前面の下端と固定部の上端との間を通過する日光の量が少なくなり、眩しさを低減することができる。また、この場合に、回動部の前面に反射した日光は下方に向い、さらに下方に配置された回動部の上面に反射して天井を照らす。また、固定部の前面に照射した日光は、斜め上向きに反射して天井を照らす。これにより、例えば太陽高度が低い時でも、眩しさを押えながら天井を明るくすることで、照明の使用量を抑制することができる。
【００１０】
さらにまた、このような構成によれば、反射フィンよりも下側に複数の遮光フィンが配置されているので、建物の部屋の中にいる人の眩しさを軽減することができる。また、遮光フィンが断面視で略く字状に屈曲形成されているので、遮光フィンが屈曲していない場合に比較して、遮光フィン同士の隙間を大きくすることができる。また、回動手段は、複数の前記遮光フィンを同位相で上下方向に回動させると共に、複数の前記回動部を前記遮光フィンに同期して上下方向に回動させるので、遮光フィンによって日光を遮光しながら、反射フィンによって日光を室内に好適に取り込むことができる。
【００１１】
また、本発明では、回動手段は、複数の前記回動部を前記遮光フィンの略１／２の回動角度で上下方向に回動させるのがこのましい。このようにすれば、遮光フィンによって日光を遮光しながら、反射フィンによって日光を室内にさらに好適に取り込むことができる。
【００１２】
また、本発明では、前記回動部の上面は、凹状に湾曲しているのが好ましい。このような構成によれば、回動部の上面に照射した光線を斜め上方へ向けて効率よく反射することができる。
【００１３】
また、本発明では、前記遮光フィンは、前記凸面の前半部に太陽光発電素子を有し、前記回動手段は、日光の照射角度に対して前記凸面の前半部が直交するように、前記遮光フィンを回動させるのが好ましい。
【００１４】
このような構成によれば、遮光フィンは、前記凸面の前半部に太陽光発電素子を有し、前記回動手段は、日光の照射角度に対して前記凸面の前半部が直交するように、前記遮光フィンを回動させるので、発電効率を高めることができる。
【発明の効果】
【００１５】
本発明によれば、眩しさを抑制しながら、室内の天井の窓側と奥側に日射を導くことが可能なルーバー装置を提供することができる。
【図面の簡単な説明】
【００１６】
【図１】本実施形態に係るルーバー装置を備えた建物の断面図である。
【図２】反射フィンの拡大断面図である。
【図３】遮光フィンの拡大断面図である。
【図４】反射フィンの動作を説明するための説明図である。
【図５】反射フィンの動作を説明するための説明図である。
【図６】反射フィンの動作を説明するための説明図である。
【図７】遮光フィンの動作を説明するための説明図である。
【図８】遮光フィンの動作を説明するための説明図である。
【図９】遮光フィンの動作を説明するための説明図である。
【発明を実施するための形態】
【００１７】
本発明の第１実施形態について、図面を参照して詳細に説明する。説明において、同一の要素には同一の番号を付し、重複する説明は省略する。方向を説明する場合、各図に示す上下前後を基準にして説明する。なお、説明において、図１の紙面に直交する方向を横方向（左右方向）とする。
【００１８】
図１は、本実施形態に係るルーバー装置を備えた建物の断面図である。
図１に示すように、建物１は、部屋１１と、この部屋１１と屋外とを仕切る外壁１２と、外壁１２に設けられた開口部である窓部１３と、上階と下階とを仕切る床スラブ１４と、上階の床スラブ１４の下面に吊り下げ支持された天井１５と、外壁１２の屋外側に設置されたルーバー装置２と、を有している。窓部１３は、外壁１２の上下方向の中間部（例えば人の腰の高さ程度）から天井１５付近までの範囲に設けられている。
【００１９】
ルーバー装置２は、建物１の外観を装飾すると共に窓部１３から部屋１１に入射する日光の量や向きを調節する装置である。ルーバー装置２は、外壁１２の外側に設置された一対の支持部材２０（図１では片側のみ図示）と、一対の支持部材２０の間に支持された複数の反射フィン３０及び複数の遮光フィン４０と、回動手段７０と、を主に備えている。
【００２０】
一対の支持部材２０は、反射フィン３０及び遮光フィン４０を支持する部材である。一対の支持部材２０は、反射フィン３０及び遮光フィン４０の長さ寸法に略等しい間隔を隔てて、外壁１２の外側に設置されている。支持部材２０は、上下方向に延設された縦材２１と、縦材２１の上下端部から外壁１２に向かって延設された横材２２と、を有している。縦材２１の内部には、反射フィン３０及び遮光フィン４０を回動させる回動手段７０（図２、図３参照）が装備されている。回動手段については後に詳しく説明する。
【００２１】
反射フィン３０は、長尺の板状部材であり、反射フィン３０に照射した日光を天井１５に向けて反射する機能を有している。反射フィン３０は、窓部１３の上半部に対応する範囲に設置されている。さらに言えば、反射フィン３０は、部屋１１の中にいる人の身長よりも上側の範囲に設置されている。ちなみに、例えば日本人の成人男性の平均身長を基準にすれば、反射フィン３０は、床面から約１７０ｃｍ以上の範囲に設置されている。本実施形態では、４つの反射フィン３０が、互いに上下方向に間隔を隔てて等間隔で配置されている。反射フィン３０同士の上下方向の設置間隔Ｖ１（図２参照）は、後記する遮光フィン４０の上下方向の設置間隔Ｖ２（図３参照）よりも狭い。
【００２２】
図２は、反射フィンの拡大断面図である。なお、図２では、反射フィン３０の回動部５０が最も下側と最も上側に回動した状態を仮想線（二点鎖線）で描いている。
図２に示すように、回動部５０は、上下方向に回動して日光の反射する方向を調節する部材である。回動部５０の長手方向の両端部の建物１側（後側）には、回動軸５１が突設されている。回動軸５１は、支持部材２０に回動可能に軸支されており、支持部材２０の内部に設けられた回動手段７０に機械的に連結されている。すべての回動部５０は、回動手段７０によって同じ角度だけ回動する。
【００２３】
回動部５０は、側面視で略台形状に形成されており、回動軸５１の上方から前方に延出する上面５２と、上面５２の前端から下方且つ後方に延出する前面５３と、前面５３の下端から後方に延出する下面５４と、下面５４の後端から上面５２の後端に向かって円弧状に延出する後面５５と、を有している。上面５２は、凹状に湾曲している。前面５３及び下面５４は、平面状に形成されている。後面５５は、回動軸５１の中心５１ａと同心の円弧状に形成されている。前面５３は、下側に向かうほど後側に位置するように傾斜している。これらのうち、少なくとも上面５２は、日光を反射する反射面となるように例えば高反射仕上げが施されており、前面５３及び下面５４は、拡散的な反射面（普通の仕上げ面）に仕上げられている。
【００２４】
図２に示すように、固定部６０は、回動部５０同士の間を水平又は斜め下向きに通過する日光を斜め上向きに反射して眩しさを低減するための部材である。固定部６０は、回動部５０の建物１側に隣接して配置されている。固定部６０の長手方向の両端部の回動部５０側には、支持部材２０に固定される固定軸６１がそれぞれ突設されている。固定部６０の上面６２は、建物１側に向かうほど上方に位置するように傾斜している。同様に、固定部６０の下面６３も、建物１側に向かうほど上方に位置するように傾斜している。固定部６０の厚さ寸法（上面６２と下面６３の間隔）は、建物１に近づくほど小さくなる。上面６２は、日光を反射する反射面となるように例えば高反射仕上げが施されており、下面６３は、拡散的な反射面（普通の仕上げ面）に仕上げられている。
【００２５】
図１に戻って、遮光フィン４０は、上下方向に回動して部屋１１に入射する日光を遮る部材である。遮光フィン４０は、側面視で略く字状（ブーメラン形状）を呈する長尺の板状部材であり、長手方向を横方向に向けて配置されている。遮光フィン４０は、窓部１３の下半部に対応する位置に３つ配置されている。さらに言えば、遮光フィン４０は、窓部１３に対応する位置であって、部屋１１の中にいる人の身長よりも下側の範囲に設置されている。ちなみに、本実施形態では、遮光フィン４０は、建物１の意匠性向上と発電能力の向上を目的として、窓部１３よりも下側と、窓部１３よりも上側にそれぞれ３つずつ配置されている。
【００２６】
図３は、遮光フィンの拡大断面図である。なお、図３では、遮光フィンが最も下側と最も上側に回動した状態を仮想線（二点鎖線）で描いている。
図３に示すように、遮光フィン４０は、長手方向の両端部であって、側面視で前後方向（又は上下方向）の中間部に回動軸４１を有している。回動軸４１は、支持部材２０に回動可能に軸支されており、支持部材２０の内部に設けられた回動手段７０に機械的に連結されている。すべての遮光フィン４０は、回動手段７０によって同じ角度だけ回動する。
【００２７】
遮光フィン４０は、側面視で略く字状に形成されており、前方（あるいは上方）に向けられた凸面４２と、後方（あるいは下方）に向けられた凹面４３と、を有している。
凸面４２は、回動軸４１よりも前側の直線状の前半部４２ａと、回動軸４１よりも後側の直線状の後半部４２ｂと、を有している。同様に、凹面４３は、回動軸４１よりも前側の直線状の前半部４３ａと、回動軸４１よりも後側の直線状の後半部４３ｂと、を有している。凸面４２の前半部４２ａには、太陽光発電素子４４が取り付けられている。凹面４３は、日光を拡散反射させるマット反射面仕上げになっている。
【００２８】
遮光フィン４０の上下方向の設置間隔Ｖ２は、遮光フィン４０を最も下向きに回動させた状態で、上側の遮光フィン４０の前側（下側）の端部４５よりも、下側の遮光フィン４０の後側(上側)の端部４６が上側に位置するように設定されている。換言すれば、遮光フィン４０は、上側の遮光フィン４０の前側（下側）の端部４５と下側の遮光フィン４０の後側(上側)の端部４６とが水平方向で若干重なるように配置されている（図３の寸法Ｖ４参照）。
【００２９】
図２、図３に示すように、回動手段７０は、反射フィン３０の回動部５０と遮光フィン４０とを回動させる装置である。回動手段７０は、回動部５０の回動軸５１に連結された第１ホイールギア７１と、第１ホイールギア７１に噛合する第１ウォームギア７２と、遮光フィン４０の回動軸４１に連結された第２ホイールギア７３と、第２ホイールギア７３に噛合する第２ウォームギア７４と、第１ウォームギア７２及び第２ウォームギア７４を連結するシャフト７５と、シャフト７５を回転させるサーボモータ７６と、サーボモータ７６を制御する制御部７７と、を主に有している。
【００３０】
制御部７７は、予め記憶された建物１の位置座標データと日付時刻データから計算した日照角度に対して遮光フィン４０の前半部４２ａが直角となるように、サーボモータ７６を制御する装置である。これにより、遮光フィン４０の前半部４２ａに設けられた太陽光発電素子４４の発電効率が向上する。制御部７７は、例えば汎用のコンピュータ装置に所定のプログラムを実行させることで実現される。
本実施形態では、回動手段７０は、回動部５０が所定角度θだけ回動したときに、遮光フィン４０が約２θだけ回動するように、第１ホイールギア７１と第１ウォームギア７２のギア比と、第２ホイールギア７３と第２ウォームギア７４のギア比とが設定されている。
【００３１】
なお、回動手段７０は、このような自動制御装置に限定されるものではなく、例えば手動の回転レバーでシャフト７５を回転させることで、反射フィン３０の回動部５０と遮光フィン４０とを回動させるようにしてもよい。
【００３２】
次に、回動部５０及び遮光フィン４０の回動範囲の一例について説明する。ここで、上面５２と前面５３の間の端部５６は、断面視で円弧状に形成されており、この端部５６を構成する円弧の中心５６ａと、回動軸５１の中心５１ａとを結んだ直線を回動基準線Ｌ１とする。また、遮光フィン４０については、凸面４２の前半部４２ａを基準線とする。また、水平基準線ＬＨに対して上側に回動した状態をプラス（＋）方向とし、下側に回動した状態をマイナス（−）方向として表現する。
【００３３】
本実施形態では、回動部５０は、図２に仮想線（二点鎖線）で示すように、最も下側に回動した状態で、水平基準線ＬＨに対して回動基準線Ｌ１の成す角度θ１が−９°となり、最も上側に回動した上端で、水平基準線ＬＨに対して回動基準線Ｌ１の成す角度θ２が＋２８°となる範囲で回動する。
【００３４】
また、本実施形態では、遮光フィン４０は、図３に仮想線（二点鎖線）で示すように、最も下側に回動した状態で、水平基準線ＬＨに対して凸面４２の前半部４２ａの成す角度θ３が−９０°となり、最も上側に回動した上端で、水平基準線ＬＨに対して凸面４２の前半部４２ａの成す角度θ４が−１２°となる範囲で回動する。
【００３５】
ちなみに、反射フィン３０の回動部５０と遮光フィン４０は、回動手段７０によって互いに連動して回動する。遮光フィン４０が最も下側に回動（θ３＝−９０°）したとき、反射フィン３０の回動部５０も最も下側に回動（θ１＝−９°）する。また、遮光フィン４０が最も上側に回動（θ４＝−１２°）したとき、反射フィン３０の回動部５０も最も上側（θ２＝＋２８°）に回動する。遮光フィン４０の回動範囲（９０°−１２°＝７８°）は、反射フィン３０の回動部５０の回動範囲（２８°＋９）＝３７°）に対して約２倍（７８°／３７°＝２．１）である。つまり、回動部５０は、遮光フィン４０の約１／２の角速度（回動角度）で回動する。
【００３６】
なお、上記の回動範囲や回動比率は一例であり、ルーバー装置２が設置される地域や向きに応じて適宜設定すればよい。
【００３７】
本実施形態に係るルーバー装置２は基本的に以上のように構成されるものであり、次に、図１乃至図９（特に図４乃至図９）を参照して、ルーバー装置２の動作と作用効果について説明する。図４乃至図６は、反射フィン３０の動作を説明するための説明図である。図７乃至図９は、遮光フィン４０の動作を説明するための説明図である。
【００３８】
初めに、遮光フィン４０の動作について説明する。
図７乃至図９に示すように、ルーバー装置２の制御部７７は、予め記憶された建物１の位置座標データと日付時刻データから計算した日照角度（太陽高度ともいう）δに対して遮光フィン４０の前半部４２ａが直角となるようにサーボモータ７６を回転させる。
【００３９】
例えば、図７に示すように、日照角度δが６０°であるとき、遮光フィン４０は、凸面４２の前半部４２ａが水平基準線ＬＨに対して−３０°となるように回動する。このとき、凸面４２の前半部４２ａに設置された太陽光発電素子４４に直角に照射した光線Ｈ５によって、太陽光発電が効率よく行われる。凸面４２の後半部４２ｂには日光が照射せず、建物１の内部にも日光が直接入ることがない。そのため、部屋１１の内部にいる人間は眩しさを感じることがなく、かつ、上下の遮光フィン４０同士の隙間が大きいので見通しがよく、解放感を感じることができる。
【００４０】
また、図８に示すように、日照角度δが３０°であるとき、遮光フィン４０は、凸面４２の前半部４２ａが水平基準線ＬＨに対して−６０°となるように回動する。このとき、凸面４２の前半部４２ａに設置された太陽光発電素子４４に直角に照射した光線Ｈ５によって、太陽光発電が効率よく行われる。また、凸面４２の後半部４２ｂに照射した光線Ｈ６は、斜め上方に向かって反射し、上側の遮光フィン４０の凹面４３に照射する。凹面４３は、マット反射面仕上げがなされているので、凹面４３に照射した光線Ｈ６は拡散反射する。そのため、部屋１１の内部にいる人の眩しさが軽減されると共に、窓部１３付近の明るさを向上させることができる。凸面４２の後半部４２ｂに照射した光線Ｈ７は、斜め上方に向かって反射し、部屋１１の天井１５のうち、窓部１３に近い部位に照射する。
【００４１】
さらに、図９に示すように、日照角度δが０°であるとき、遮光フィン４０は、凸面４２の前半部４２ａが水平基準線ＬＨに対して−９０°となるように回動する。このとき、凸面４２の前半部４２ａに設置された太陽光発電素子４４に直角に照射した光線Ｈ５によって、太陽光発電が効率よく行われる。また、凸面４２の後半部４２ｂに照射した光線Ｈ６は、斜め上方に向かって反射し、上側の遮光フィン４０の凹面４３に照射する。凹面４３は、マット反射面仕上げがなされているので、凹面４３に照射した光線Ｈ６は拡散反射する。そのため、部屋１１の内部にいる人の眩しさが軽減されると共に、窓部１３付近の明るさを向上させることができる。また、この回動状態で、上側の遮光フィン４０の前端４５と下側の遮光フィン４０の後端４６は、上下方向で重複している（図３の寸法Ｖ４参照）ので、水平方向の日光が直接部屋１１に照射することがない。そのため、部屋１１の内部にいる人間は眩しさを感じることがない。また、遮光フィン４０は、側面視で略く字状に形成されているので、この回動状態でも、上側の遮光フィン４０の前端４５と下側の遮光フィン４０の後端４６の間に水平方向の隙間が生じている。そのため、斜め下方向の視界は開けているので、閉塞感を緩和することができる。
【００４２】
次に、反射フィン３０の動作について説明する。
図４に示すように、例えば光線Ｈ１、Ｈ２の日照角度δが４５°であるとき、水平基準線ＬＨに対する反射フィン３０の回動部５０の回動基準線Ｌ１の成す角度（以下、単に「傾斜角度θ」という場合がある。）は、＋１６°となっている。このとき、回動部５０の上面５２は、建物１側に向かうほど下方に位置するように傾斜しているので、回動部５０の上面５２に照射した光線Ｈ１は、比較的浅い角度で上方に向かって反射し、天井１５を照らす。また、回動部５０の上面５２は凹状に湾曲しているので、上面５２の前端に近い位置に照射した光線Ｈ１ほど、部屋１１の奥の方の天井１５を照らし、上面５２の後端に近い位置に照射した光線Ｈ１ほど、部屋１１の窓際の天井１５を照らす。また、上側に配置された反射フィン３０ほど、天井１５に近いので、部屋１１の窓際の天井を照らす。これにより、天井１５が全体的に照らされて明るくなる。回動部５０の前面５３に照射した光線Ｈ２は、下方に向かって反射して下側の回動部５０の上面５２を照らす。光線の日照角度δが４５°であるとき、固定部６０の上面６２に直接光線が照射することはない。
【００４３】
図５に示すように、例えば光線Ｈ１〜Ｈ４の日照角度δが１５°であるとき、水平基準線ＬＨに対する反射フィン３０の傾斜角度θは、−２°となっている。このとき、回動部５０の上面５２は、建物１側に向かうほど上方に位置するように傾斜している。これにより、光線Ｈ１、Ｈ２の挙動は図４に示す場合と略同様になる。
【００４４】
図５に示すように、固定部６０の上面６２には光線Ｈ３，Ｈ４が照射している。光線Ｈ３，Ｈ４は、固定部６０の上面６２によって斜め上方に向かうように反射する。このため、光線Ｈ３，Ｈ４が部屋１１の内部を下向きに照らすことがないので、部屋１１の内部にいる人の眩しさを軽減することができる。固定部６０の上面６２に反射した光線Ｈ６は、さらに上側の固定部６０の下面６３に反射して部屋１１の内部を略水平に照らす。このとき、反射フィン３０は、人の平均身長よりも上方に配置されているので、眩しさを抑制することができる。また、固定部６０の上面６２に反射して下面６３に反射しなかった光線Ｈ７は、部屋１１の窓際の天井１５を照らす。これにより、天井１５が全体的に照らされて明るくなる。
【００４５】
図６に示すように、例えば光線Ｈ１〜Ｈ４の日照角度δが０°であるとき、水平基準線ＬＨに対する反射フィン３０の傾斜角度θは、−９°となっている。このとき、回動部５０の上面５２は、建物１側に向かうほど上方に位置するように傾斜している。これにより、光線Ｈ１、Ｈ２、Ｈ４の挙動は図５に示す場合と略同様になる。
【００４６】
以上のように、本実施形態に係るルーバー装置によれば、回動部５０は、上面５２を有しているので、光線Ｈ１の照射方向に応じて回動部５０を回動させることで、回動部５０の上面５２に照射した光線Ｈ１を天井１５に向けて照射することができる。また、回動部５０は、上面５２の前端から下方且つ建物１側に延設された前面５３を有しているので、仮に前面５３が上面に対して直角に設けられている場合に比較して、下側の回動部５０の上面５２にあたる日光の量を多くすることができる。また、複数の反射フィン３０は、互いに上下に間隔を空けて並列配置されており、かつ、回動手段７０は、複数の回動部５０を同位相で上下方向に回動させるので、上側の反射フィン３０の回動部５０の上面５２に反射した光線Ｈ１は、天井１５のうち窓部１３に近い部位を照らし、下側の反射フィン３０の回動部５０の上面５２に反射した光線Ｈ１は、天井１５のうち比較的窓部１３から離れた部位を照らす。これにより、天井１５が全体的に明るくなり、照明の使用量を抑制することができる。
【００４７】
さらに、回動部５０は、上面５２の建物１と反対側の端部５６から下方且つ建物１側に延設された前面５３を有し、固定部６０の上面６２は、回動部５０側の端部から建物１側に向かうほど上方に位置するように傾斜しているので、上下に配置された反射フィン３０同士の間隔（図２の寸法Ｖ３参照）が小さくなる。そのため、水平方向に対して浅い角度で日光が照射する場合（例えば日が低いとき）に、回動部５０の前面５３の下端と固定部６０の上端との間を通過する日光の量が少なくなり、眩しさを低減することができる。また、この場合に、回動部５０の前面５３に反射した日光は下方に向い、さらに下方に配置された回動部５０の上面５２に反射して天井１５を照らす。また、固定部６０の上面６２に照射した光線Ｈ３，Ｈ４は、斜め上向きに反射して天井１５を照らす。これにより、例えば日が低い時でも、眩しさを押えながら天井１５が全体的に明るなり、照明の使用量を抑制することができる。
【００４８】
また、回動部５０の上面５２は、凹状に湾曲しているので、回動部５０の上面５２に照射した光線Ｈ１を斜め上方へ向けて効率よく反射することができる。
【００４９】
また、ルーバー装置２は、窓部１３の下半部に対応する位置に遮光フィン４０が配置されているので、建物１の部屋１１の中にいる人の眩しさを軽減することができる。また、遮光フィン４０が断面視で略く字状に屈曲形成されているので、仮に遮光フィン４０が屈曲していない場合に比較して、遮光フィン４０同士の隙間を大きくすることができる。そのため、視界を確保することができる。
【００５０】
また、遮光フィン４０は、凸面４２の前半部４２ａに太陽光発電素子４４を有し、回動手段７０は、日光の照射角度に対して凸面４２の前半部４２ａが直交するように、遮光フィン４０を回動させるので、発電効率を高めることができる。
【００５１】
以上、本発明の実施形態について図面を参照して詳細に説明したが、本発明はこれに限定されるものではなく、発明の主旨を逸脱しない範囲で適宜変更可能である。
【００５２】
例えば、本実施形態では、凸面４２の前半部４２ａに太陽光発電素子４４を設置したが、本発明はこれに限定されるものではなく、太陽光発電素子４４を省略してもよい。
【００５３】
また、本実施形態では、窓部１３の上半部に複数の反射フィン３０を設置し、窓部１３の下半部に複数の遮光フィン４０を設置したが、本発明はこれに限定されるものではない。例えば、窓部１３の高さ寸法が大きい場合等には、反射フィン３０の上方にさらに複数の遮光フィン４０を配置してもよい。
【００５４】
また、本実施形態では、回動手段７０が、反射フィン３０の回動部５０を遮光フィン４０の約１／２の回動角度で回動させる構成としたが、本発明はこれに限定されるものではなく、回動手段７０が、反射フィン３０の回動部５０を遮光フィン４０に同期して回動させればよい。例えば、ルーバー装置２が設置される地域や向きに応じて遮光フィン４０に対する回動部５０の回動角度（比率）を回動部５０を適宜設定すればよい。
【００５５】
また、本実施形態では、回動手段７０は、ひとつのサーボモータ７６で一本のシャフト７５を回転させることで、シャフト７５にギア７１−７４を介して連結された反射フィン３０の回動部５０と遮光フィン４０とを回動させる構成としたが、本発明はこれに限定されるものではない。例えば、シャフト７５とギア７１−７４を省略するとともに、複数の回動部５０の回転軸５１と、複数の遮光フィン４０の回動軸４１と、に複数のサーボモータ７６を個別に連結し、各サーボモータ７６を制御部７７で同期して回転させるようにしてもよい。このようにすれば、制御部７７の設定を変更することで、回動部５０と遮光フィン４０の回動比率を自由に設定することができる。
【符号の説明】
【００５６】
１      建物
１３    窓部
１５    天井
２      ルーバー装置
２０    支持部材
３０    反射フィン
４０    遮光フィン
５０    回動部
６０    固定部
７０    回動手段
Ｌ１    回動基準線
ＬＨ    水平基準線
【図１】
2013199829.tif 000003
【図２】
2013199829.tif 000004
【図３】
2013199829.tif 000005
【図４】
2013199829.tif 000006
【図５】
2013199829.tif 000007
【図６】
2013199829.tif 000008
【図７】
2013199829.tif 000009
【図８】
2013199829.tif 000010
【図９】
2013199829.tif 000011